【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
下記の段階を含むことを特徴とする、移植前レンズの移植後ジオプターの測定方法：
その剛性および屈折率がその水和状態に依存するポリマーを含む眼内レンズ(IOL)を用意する段階；
移植前の前記レンズを、水和液に、前記IOLポリマーが、前記IOLポリマーが移植後に得るであろう水和状態と実質的同等である水和状態に水和するのに十分な時間長で暴露する段階；及び
前記実質的に水和したレンズのジオプター値を測定する段階。
【請求項２】
前記IOLポリマーが、約3質量％〜約15質量％の範囲内のEWCを有する、請求項１記載の方法。
【請求項３】
前記IOLポリマーが、約4質量％〜10質量％の範囲内のEWCを有する、請求項１記載の方法。
【請求項４】
前記移植IOLが、移植後の着用者が感じるようなグリスニングの低減または排除を示す、請求項２記載の方法。
【請求項５】
前記移植IOLが、移植後の着用者が感じるようなグリスニングの低減または排除を示す、請求項３記載の方法。
【請求項６】
前記ポリマーが、下記を含む、請求項１記載の方法：
芳香族、カルバゾールまたはナフチル成分、カルバゾール、ナフタレンまたはナフチル基を含む高屈折率モノマー；疎水性モノマー、親水性モノマー、および架橋剤。
【請求項７】
前記ポリマーが、紫外線吸収性物質をさらに含む、請求項６記載の方法。
【請求項８】
前記ポリマーが、ベータ−(4−ベンゾトリアゾイル−3−ヒドロキシフェノキシ)エチルアクリレート、4−(2−アクリルオキシエトキシ)−2−ヒドロキシベンゾフェノン、4−メタクリルオキシ−2−ヒドロキシベンゾフェノン、2−(2′−メタクリルオキシ−5′−メチルフェニル)ベンゾトリアゾール、2−(2'−ヒドロキシ−5’−メタクリルオキシ−エチルフェニル)−2H−ベンゾトリアゾール、2−[3′−tert−ブチル−2′−ヒドロキシ−5′−(3”−メタクリロイルオキシプロピル)フェニル ]−5−クロロベンゾトリアゾール、2−(3′−tert−ブチル−5′−(3−ジメチルビニルシリルプロポキシ)−2′−ヒドロキシフェニル]−5−メトキシベンゾトリアゾール、2−(3′−アリル−2′−ヒドロキシ−5−メチルフェニル)ベンゾトリアゾール、2−[3′−tert′−ブチル−2′−ヒドロキシ−5’−[3”−メタクリロイルオキシプロポキシ)フェニル]−5−メトキシベンゾトリアゾールおよび2−[3′−tert−ブチル−2′−ヒドロキシ−5′−(3”−メタクリロイルオキシプロポキシ)フェニル]−5−クロロベンゾトリアゾールからなる群から選ばれる紫外線吸収性物質を含む、請求項６記載の方法。
【請求項９】
前記紫外線吸収性物質が、ビニルアントラセンまたはその誘導体である、請求項７記載の方法。
【請求項１０】
前記親水性モノマーが、2−ヒドロキシ−エチルアクリレート、2−ヒドロキシエチルメタクリレート、アクリルアミド、N−オルニチンアクリルアミド、N−(2−ヒドロキシプロピル)アクリルアミド、ポリエチレングリコールアクリレート、ポリエチレングリコールメタクリレート、N−ビニルピロリドン、N−フェニルアクリルアミド、ジメチルアミノプロピルメタクリルアミド、アクリル酸、ベンジルメタクリルアミド、4−ヒドロキシブチルメタクリレート、グリセロールモノメタクリレート、グリセロールモノアクリレート、2−スルホエチルメタクリレート、フェノキシエチルアクリレート、フェノキシエチルメタクリレート、2−(2−エトキシエトキシ)エチルアクリレート、2−(2−エトキシエトキシ)エチルメタクリレート、フルフリルアクリレート、フルフリルメタクリレートおよびメチルチオエチルアクリルアミドからなる群から選ばれる、請求項６記載の方法。
【請求項１１】
前記疎水性モノマーが、ラウリルメタクリレート、ラウリルアクリレート、2−エチルヘキシルアクリレート、2−エチルヘキシルメタクリレート、n−デシルアクリレート、n−デシルメタクリレート、ヘキシルアクリレート、ヘキシルメタクリレート、ステアリルアクリレート、ステアリルメタクリレート、イソデシルアクリレート、イソデシルメタクリレート、イソボルニルアクリレート、イソボルニルメタクリレート、ビニルラウレート、ビニルステアレート、1−ヘキサデシルアクリレート、1−ヘキサデシルメタクリレート、n−ミリスチルアクリレート、n−ミリスチルメタクリレート、n−ドデシルメタクリルアミド、ブチルアクリレート、n−ブチルメタクリレート、イソオクチルアクリレート、イソトリデシルアクリレート、イソオクチルメタクリレートおよびイソトリデシルメタクリレートからなる群から選ばれる、請求項６記載の方法。
【手続補正２】
【補正対象書類名】明細書
【補正対象項目名】００３７
【補正方法】変更
【補正の内容】
【００３７】
表２：実施例１〜８
2015515294.tif 000001
*ジオプター測定の標準偏差、n = 10
本発明のまた別の態様は、以下のとおりであってもよい。
〔１〕下記の段階を含むことを特徴とする、移植前レンズの移植後ジオプターの測定方法：
その剛性および屈折率がその水和状態に依存するポリマーを含む眼内レンズ(IOL)を用意する段階；
移植前の前記レンズを、水和液に、前記IOLポリマーが、前記IOLポリマーが移植後に得るであろう水和状態と実質的同等である水和状態に水和するに十分な時間長で暴露する段階；
前記実質的に水和したレンズのジオプター値を測定する段階；
前記レンズを部分的に脱水してその取扱い特性を高める段階；
前記部分脱水IOLを眼内に移植する段階；および、
前記部分脱水レンズを、移植後の眼内で、前記部分脱水レンズが移植前に測定したレンズのジオプター値に実質的なジオプター値を得るまで水和することを可能にする段階。
〔２〕前記移植段階を、IOLインジェクター手段を使用して実施する、前記〔１〕記載の方法。
〔３〕前記IOLポリマーが、約3質量％〜約15質量％の範囲内のEWCを有する、前記〔１〕記載の方法。
〔４〕前記IOLポリマーが、約4質量％〜約10質量％の範囲内のEWCを有する、前記〔１〕記載の方法。
〔５〕前記移植IOLが、移植後の着用者が感じるようなグリスニングの低減または排除を示す、前記〔３〕記載の方法。
〔６〕前記移植IOLが、移植後の着用者が感じるようなグリスニングの低減または排除を示す、前記〔４〕記載の方法。
〔７〕前記ポリマーが、下記を含む、前記〔１〕記載の方法：
芳香族、カルバゾールまたはナフチル成分、カルバゾール、ナフタレンまたはナフチル基を含む高屈折率モノマー；疎水性モノマー、親水性モノマー、および架橋剤。
〔８〕前記組成物が、紫外線吸収性物質をさらに含む、前記〔７〕記載の組成物。
〔９〕前記組成物が、ベータ−(4−ベンゾトリアゾイル−3−ヒドロキシフェノキシ)エチルアクリレート、4−(2−アクリルオキシエトキシ)−2−ヒドロキシベンゾフェノン、4−メタクリルオキシ−2−ヒドロキシベンゾフェノン、2−(2′−メタクリルオキシ−5′−メチルフェニル)ベンゾトリアゾール、2−(2’−ヒドロキシ−5’−メタクリルオキシ−エチルフェニル)−2H−ベンゾトリアゾール、2−[3′−tert−ブチル−2′ヒドロキシ−5′−(3”−メタクリロイルオキシプロピル)フェニル ]−5−クロロベンゾトリアゾール、2−(3′−tert−ブチル−5′−(3−ジメチルビニルシリルプロポキシ)−2′−ヒドロキシフェニル]−5−メトキシベンゾトリアゾール、2−(3′−アリル−2′−ヒドロキシ−5−メチルフェニル)ベンゾトリアゾール、2−[3′−tert′−ブチル−2′−ヒドロキシ−5'−[3”−メタクリロイルオキシプロポキシ)フェニル]−5−メトキシベンゾトリアゾールおよ
び2−[3′−tert−ブチル−2′−ヒドロキシ−5′−(3”−メタクリロイルオキシプロポキシ)フェニル]−5−クロロベンゾトリアゾールからなる群から選ばれる紫外線吸収性物
質を含む、前記〔７〕記載の組成物。
〔１０〕前記紫外線吸収物質が、ビニルアントラセンまたはその誘導体である、前記〔７〕記載の組成物。
〔１１〕前記親水性モノマーが、2−ヒドロキシ−エチルアクリレート、2−ヒドロキシエチルメタクリレート、アクリルアミド、N−オルニチンアクリルアミド、N−(2−ヒドロキシプロピル)アクリルアミド、ポリエチレングリコールアクリレート、ポリエチレングリコールメタクリレート、N−ビニルピロリドン、N−フェニルアクリルアミド、ジメチルアミノプロピルメタクリルアミド、アクリル酸、ベンジルメタクリルアミド、4−ヒドロキシブチルメタクリレート、グリセロールモノメタクリレート、グリセロールモノアクリレート、2−スルホエチルメタクリレート、フェノキシエチルアクリレート、フェノキシエチルメタクリレート、2−(2−エトキシエトキシ)エチルアクリレート、2−(2−エトキシエトキシ)エチルメタクリレート、フルフリルアクリレート、フルフリルメタクリレートおよびメチルチオエチルアクリルアミドからなる群から選ばれる、前記〔７〕記載の組成物。
〔１２〕前記疎水性モノマーが、ラウリルメタクリレート、ラウリルアクリレート、2−エチルヘキシルアクリレート、2−エチルヘキシルメタクリレート、n−デシルアクリレート、n−デシルメタクリレート、ヘキシルアクリレート、ヘキシルメタクリレート、ステアリルアクリレート、ステアリルメタクリレート、イソデシルアクリレート、イソデシルメタクリレート、イソボルニルアクリレート、イソボルニルメタクリレート、ビニルラウレート、ビニルステアレート、1−ヘキサデシルアクリレート、1−ヘキサデシルメタクリレート、n−ミリスチルアクリレート、n−ミリスチルメタクリレート、n−ドデシルメタクリルアミド、ブチルアクリレート、n−ブチルメタクリレート、イソオクチルアクリレート、イソトリデシルアクリレート、イソオクチルメタクリレートおよびイソトリデシルメタクリレートからなる群から選ばれる、前記〔１〕記載の組成物。